(57)【要約】      （修正有）【課題】書類中に適切な名前を自動設定できるようにする書類作成支援プログラム、書類作成支援方法及び書類作成支援装置を提供する。【解決手段】書類作成支援方法は、看護師であるユーザがログインしている状態で、当該看護師に対応して書類の代行入力を依頼した医師に関する情報が記憶部に登録されているか否かを判定し、上記医師に関する上記情報が登録されていると判定した場合に、入力対象として特定される書類中に含まれる所定コードを上記医師の名前に置換する処理を含む。更に、上記医師に関する上記情報が登録されていないと判定した場合に、上記入力対象として特定される書類中に含まれる所定コードを看護師の名前に置換する処理を含むようにしてもよい。【選択図】図１７
2018156310.tif 000002
【特許請求の範囲】
【請求項１】
看護師であるユーザがログインしている状態で、当該看護師に対応して書類の代行入力を依頼した医師に関する情報が記憶部に登録されているか否かを判定し、
前記医師に関する前記情報が登録されていると判定した場合に、入力対象として特定される書類中に含まれる所定コードを前記医師の名前に置換する
処理をコンピュータに実行させる書類作成支援プログラム。
【請求項２】
更に、
前記医師に関する前記情報が登録されていないと判定した場合に、前記入力対象として特定される書類中に含まれる前記所定コードを前記看護師の名前に置換する
処理をコンピュータに実行させる請求項１記載の書類作成支援プログラム。
【請求項３】
看護師であるユーザがログインしている状態で、当該看護師に対応して書類の代行入力を依頼した医師に関する情報が記憶部に登録されているか否かを判定し、
前記医師に関する前記情報が登録されていると判定した場合に、入力対象として特定される書類中に含まれる所定コードを前記医師の名前に置換する
処理を含み、コンピュータにより実行される書類作成支援方法。
【請求項４】
看護師であるユーザがログインしている状態で、当該看護師に対応して書類の代行入力を依頼した医師に関する情報が記憶部に登録されているか否かを判定する判定部と、
前記医師に関する前記情報が登録されていると判定した場合に、入力対象として特定される書類中に含まれる所定コードを前記医師の名前に置換する置換部と
を有する書類作成支援装置。
【発明の詳細な説明】
【技術分野】
【０００１】
本発明は、書類作成を支援する技術に関する。
【背景技術】
【０００２】
書類の編集プログラム（例えば、文書エディタや表計算ソフトウエア）は、書類中に含まれるコードを置換する機能を有していることが多い。
【０００３】
当該機能を用いれば書類の作成が簡単になる。ここでは、医師の責任に基づく書類を作成する例を想定する。当該書類のテンプレートには、所定位置に所定コードが設定されている。所定位置は、医師の氏名を記入する欄である。所定コードは、医師の氏名に置換されることを前提としている。
【０００４】
責任者である医師自身がログインして書類を作成する場合には、テンプレートに含まれる所定コードをログインユーザの氏名に置換することによって、医師の氏名を入力する手間が省かれる。
【０００５】
但し、常に医師自身が文書を作成するとは限らない。医師が看護師に書類の代行入力を依頼することもある。このような場合に、テンプレートに含まれる所定コードをログインユーザの名前に置換すれば、医師の氏名を記入する欄に看護師の名前が設定されることになる。
【先行技術文献】
【特許文献】
【０００６】
【特許文献１】特開２００７−８６８５５号公報
【特許文献２】特開２０００−３４８１２３号公報
【発明の概要】
【発明が解決しようとする課題】
【０００７】
本発明の目的は、一側面では、書類中に適切な名前を自動設定できるようにすることである。
【課題を解決するための手段】
【０００８】
一態様に係る書類作成支援方法は、（Ａ）看護師であるユーザがログインしている状態で、当該看護師に対応して書類の代行入力を依頼した医師に関する情報が記憶部に登録されているか否かを判定し、（Ｂ）上記医師に関する上記情報が登録されていると判定した場合に、入力対象として特定される書類中に含まれる所定コードを上記医師の名前に置換する処理を含む。
【発明の効果】
【０００９】
一側面としては、書類中に適切な名前を自動設定できるようになる。
【図面の簡単な説明】
【００１０】
【図１】図１は、病院システムのネットワーク構成例を示す図である。
【図２】図２は、診断書テンプレートの表示例を示す図である。
【図３】図３は、ユーザ端末のモジュール構成例を示す図である。
【図４】図４は、サーバ装置のモジュール構成例を示す図である。
【図５】図５は、ログインに関するシーケンスを示す図である。
【図６】図６は、第１パターンにおけるユーザウィンドウの表示例を示す図である。
【図７】図７は、患者リスト表示及びカルテ表示に関するシーケンスを示す図である。
【図８】図８は、診断書編集に関するシーケンスを示す図である。
【図９】図９は、第１パターンにおける医師氏名に関する自動設定のシーケンスを示す図である。
【図１０】図１０は、自動設定された診断書の表示例を示す図である。
【図１１】図１１は、第２パターンにおけるユーザウィンドウの表示例を示す図である。
【図１２】図１２は、第２パターンにおける医師氏名に関する自動設定のシーケンスを示す図である。
【図１３】図１３は、自動設定された診断書の表示例を示す図である。
【図１４】図１４は、依頼医師登録に関するシーケンスを示す図である。
【図１５】図１５は、第３パターンにおけるユーザウィンドウの表示例を示す図である。
【図１６】図１６は、第３パターンにおける医師氏名に関する自動設定のシーケンスを示す図である。
【図１７】図１７は、医師氏名に関する自動設定処理フローを示す図である。
【図１８】図１８は、コンピュータの機能ブロック図である。
【発明を実施するための形態】
【００１１】
図１に、病院システムのネットワーク構成例を示す。看護師及び医師は、ユーザ端末１０１を使用する。ユーザ端末１０１は、ネットワーク（例えば、ＬＡＮ（Local Area Network））を介してサーバ装置１０３と接続している。サーバ装置１０３は、病院業務を支援するサービスを提供する。本実施の形態では、書類作成の業務に着目する。作成される書類は、例えば診断書のような文書又は帳票である。
【００１２】
診断書は、医師が特定の患者に関して病状や治療の内容などを証明するために発行される書類である。従って、診断書には、患者の氏名と医師の氏名が記入される。図２に、診断書テンプレートの表示例を示す。この例は、ユーザ端末１０１において診断書テンプレートを表示した状態を示している。
【００１３】
患者の氏名を記入する位置には、第１変数コードが設定されている。この例における第１変数コードは、「＠ｎａｍｅ１」である。第１変数コードは、患者の氏名に置換されることを前提としている。
【００１４】
医師の氏名を記入する位置には、第２変数コードが設定されている。この例における第２変数コードは、「＠ｎａｍｅ２」である。第２変数コードは、医師の氏名に置換されることを前提としている。
【００１５】
尚、診断書は、病院システムで扱われる文書の例である。例えば、紹介状のような別の文書に本実施の形態を適用するようにしてもよい。また、病院システムで作成される帳票に本実施の形態を適用するようにしてもよい。帳票は、表計算ソフトウエアで作成されるものであってもよい。
【００１６】
図３に、ユーザ端末１０１のモジュール構成例を示す。ユーザ端末１０１は、表示処理部３０１、受付部３０３、第１送信部３０５、第１受信部３０７、編集部３０９、置換部３１１、判定部３１３、登録部３１５、ログインユーザ記憶部３２１、依頼医師記憶部３２３及び文書データ記憶部３２５を有する。
【００１７】
表示処理部３０１は、例えばウインドウやリストを画面に表示する。受付部３０３は、ユーザ操作を受け付ける。第１送信部３０５は、各種データを送信する。第１受信部３０７は、各種データを受信する。編集部３０９は、文書や帳票の編集を行う。編集部３０９は、例えば文書エディタ或いは表計算ソフトウエアであってもよい。置換部３１１は、変数コードの置換を行う。判定部３１３は、例えばログインユーザや依頼医師に関する判定を行う。登録部３１５は、依頼医師を登録する。
【００１８】
ログインユーザ記憶部３２１は、ログインしたユーザの氏名及び職種を記憶する。以下、ログインしたユーザをログインユーザという。職種には、少なくとも医師と看護師とが含まれる。依頼医師記憶部３２３は、看護師に診断書の代行入力を依頼した医師のＩＤ及び氏名を記憶する。以下、看護師に診断書の代行入力を依頼した医師を依頼医師という。文書データ記憶部３２５は、文書データを記憶する。また、文書データ記憶部３２５は、文書テンプレートのデータを保存している。文書データ記憶部３２５に代えて、帳票データを記憶する帳票データ記憶部を設けるようにしてもよい。帳票データ記憶部は、帳票テンプレートのデータを保存するようにしてもよい。
【００１９】
上述した表示処理部３０１、受付部３０３、第１送信部３０５、第１受信部３０７、編集部３０９、置換部３１１、判定部３１３及び登録部３１５は、ハードウエア資源（例えば、図１８）と、以下で述べる処理をプロセッサに実行させるプログラムとを用いて実現される。
【００２０】
上述したログインユーザ記憶部３２１、依頼医師記憶部３２３及び文書データ記憶部３２５は、ハードウエア資源（例えば、図１８）を用いて実現される。
【００２１】
図４に、サーバ装置１０３のモジュール構成例を示す。サーバ装置１０３は、第２受信部４０１、認証部４０３、第２送信部４０５、取得部４０７、アカウントＤＢ（データベース）４１１、患者ＤＢ４１３、カルテＤＢ４１５及び医師ＤＢ４１７を有する。
【００２２】
第２受信部４０１は、各種データを受信する。認証部４０３は、ユーザ認証を行う。第２送信部４０５は、各種データを送信する。取得部４０７は、各種ＤＢから各種データを取得する。
【００２３】
アカウントＤＢ４１１は、アカウントに関するデータを管理する。アカウントＤＢ４１１は、例えばユーザ毎にアカウント名及びパスワードの組合せとユーザ氏名と職種とを対応付けて記憶している。患者ＤＢ４１３は、患者に関するデータを管理する。カルテＤＢ４１５は、カルテデータを管理する。医師ＤＢ４１７は、医師に関するデータを管理する。
【００２４】
上述した第２受信部４０１、認証部４０３、第２送信部４０５、取得部４０７、アカウントＤＢ４１１、患者ＤＢ４１３、カルテＤＢ４１５及び医師ＤＢ４１７は、ハードウエア資源（例えば、図１８）と、以下で述べる処理をプロセッサに実行させるプログラムとを用いて実現される。
【００２５】
以下では、操作主体に関する３つのパターンについて説明する。第１パターンでは、医師がログインして診断書の編集を行う。第２パターンでは、看護師がログインして診断書の編集を行う。第３パターンでは、看護師がログインして、当該看護師に診断書の代行入力を依頼した医師を登録してから、診断書の編集を行う。
【００２６】
まず、第１パターンについて説明する。図５に、ログインに関するシーケンスを示す。ユーザ端末１０１の表示処理部３０１は、ログイン画面を表示する（Ｓ５０１）。ログイン画面は、アカウント名が入力されるフィールドとパスワードが入力されるフィールドとを含んでいる。第１パターンでは、「○山  ○子」という名前の医師が自らに割り当てられているアカウント名及びパスワードを入力するものと想定する。ユーザ端末１０１の受付部３０３は、ユーザの操作によって入力されたアカウント名及びパスワードを受け付ける（Ｓ５０３）。そして、ユーザ端末１０１の第１送信部３０５は、ユーザ認証要求をサーバ装置１０３へ送信する（Ｓ５０５）。ユーザ認証要求には、アカウント名及びパスワードの組合せが含まれる。
【００２７】
サーバ装置１０３の第２受信部４０１は、ユーザ認証要求を受信する（Ｓ５０７）。サーバ装置１０３の認証部４０３は、ユーザ認証要求に含まれるアカウント名及びパスワードの組合せに基づいて、ユーザ認証を行う（Ｓ５０９）。ユーザ認証要求に含まれるアカウント名及びパスワードの組合せが、アカウントＤＢ４１１に記憶されているいずれかのアカウント名及びパスワードの組合せと一致する場合には、ユーザ認証が成功する。一方、ユーザ認証要求に含まれるアカウント名及びパスワードの組合せが、アカウントＤＢ４１１に記憶されているアカウント名及びパスワードの組合せのいずれとも一致しない場合に、ユーザ認証が失敗する。尚、ユーザ認証が成功した場合には、サーバ装置１０３の認証部４０３は、当該組合せに対応するユーザ氏名と職種とを特定する。このとき特定される氏名は、ログインユーザの氏名に相当する。
【００２８】
ここでは、ユーザ認証が成功したものとする。従って、サーバ装置１０３の第２送信部４０５は、認証結果：成功、ログインユーザ氏名及び職種をユーザ端末１０１へ送信する（Ｓ５１１）。
【００２９】
ユーザ端末１０１の第１受信部３０７は、認証結果：成功、ログインユーザ氏名及び職種を受信する（Ｓ５１３）。尚、ユーザ端末１０１の第１受信部３０７は、ログインユーザ氏名及び職種をログインユーザ記憶部３２１に記憶させる。そして、ユーザ端末１０１の表示処理部３０１は、ログインユーザ氏名を表示する（Ｓ５１５）。具体的には、ユーザウィンドウにログインユーザ氏名が表示される。
【００３０】
図６に、第１パターンにおけるユーザウィンドウの表示例を示す。ユーザウィンドウは、ログインユーザの氏名を表すフィールドと、依頼医師の氏名を表すフィールドとを有する。依頼医師が登録されていない場合には「なし」と表示される。
【００３１】
第１パターンの例では、ログインユーザの氏名のフィールドには、ログインした医師の名前「○山  ○子」が表示される。医師自身が文書を作成するので、依頼医師は登録されない。従って、依頼医師のフィールドには「なし」と表示される。
【００３２】
図５のシーケンスに続いて、患者リスト表示及びカルテ表示に関するシーケンスに移る。図７を用いて、患者リスト表示及びカルテ表示に関するシーケンスについて説明する。ユーザ端末１０１の第１送信部３０５は、患者リスト要求を送信する（Ｓ７０１）。ユーザ端末１０１の第１送信部３０５は、患者リスト要求に抽出条件を含めるようにしてもよい。
【００３３】
サーバ装置１０３の第２受信部４０１が患者リスト要求を受信すると（Ｓ７０３）、サーバ装置１０３の取得部４０７は、患者ＤＢ４１３から患者リストを取得する（Ｓ７０５）。尚、サーバ装置１０３の取得部４０７は、患者ＤＢ４１３から抽出条件に合致する患者のリストを取得するようにしてもよい。そして、サーバ装置１０３の第２送信部４０５は、患者リストをユーザ端末１０１へ送信する（Ｓ７０７）。
【００３４】
ユーザ端末１０１の第１受信部３０７が患者リストを受信すると（Ｓ７０９）、ユーザ端末１０１の表示処理部３０１は、患者リストを表示する（Ｓ７１１）。ユーザ端末１０１の受付部３０３は、患者リストにおける患者の選択を受け付ける（Ｓ７１３）。患者の選択を受け付けると、ユーザ端末１０１の第１送信部３０５は、カルテ要求を送信する（Ｓ７１５）。カルテ要求には、選択された患者のＩＤが含まれる。
【００３５】
サーバ装置１０３の第２受信部４０１がカルテ要求を受信すると（Ｓ７１７）。サーバ装置１０３の取得部４０７は、患者ＩＤに対応するカルテデータをカルテＤＢ４１５から取得する（Ｓ７１９）。そして、サーバ装置１０３の第２送信部４０５は、カルテデータをユーザ端末１０１へ送信する（Ｓ７２１）。
【００３６】
ユーザ端末１０１の第１受信部３０７がカルテデータを受信すると（Ｓ７２３）、ユーザ端末１０１の表示処理部３０１は、受信したカルテデータに基づいてカルテを表示する（Ｓ７２５）。
【００３７】
第１パターンでは、図７に示したシーケンスを終えると、診断書編集に関するシーケンスに移る。図８を用いて、診断書編集に関するシーケンスについて説明する。ユーザ端末１０１の受付部３０３が作業メニューを開く指示を受け付けると（Ｓ８０１）、ユーザ端末１０１の表示処理部３０１は、作業メニューを表示する（Ｓ８０３）。
【００３８】
ユーザ端末１０１の受付部３０３は、メニュー項目の選択を受け付ける（Ｓ８０５）。ここでは、作業メニューから診断書作成の項目が選択されたものと想定する。診断書作成の項目が選択されると、ユーザ端末１０１の表示処理部３０１は、図２に示したように、診断書テンプレートのプレビュー表示を行う（Ｓ８０７）。このとき、ユーザ端末１０１の表示処理部３０１は、文書データ記憶部３２５から診断書テンプレートのデータを読み取る。ユーザは、プレビュー表示で診断書を確認し、編集の開始を指示する。ユーザは、例えば編集開始のボタンをクリックする。
【００３９】
ユーザ端末１０１の受付部３０３が編集指示を受け付けると（Ｓ８０９）、ユーザ端末１０１の編集部３０９は、診断書テンプレートを元にコピーされた文書の編集を開始する（Ｓ８１１）。文書編集モードになると、ユーザ端末１０１の置換部３１１は、編集中文書に含まれる第１変数コードを患者氏名に置換する（Ｓ８１３）。患者氏名は、例えばカルテデータから抽出される。
【００４０】
図８に示したシーケンスを終えると、医師氏名に関する自動設定のシーケンスに移る。図９を用いて、第１パターンにおける医師氏名に関する自動設定のシーケンスについて説明する。この段階で、ユーザ端末１０１の判定部３１３は、ログインユーザが医師であるか否かを判定する。第１パターンで、ユーザ端末１０１の判定部３１３はログインユーザが医師であると判定する（Ｓ９０１）。ログインユーザが医師であると判定すると、ユーザ端末１０１の置換部３１１は、編集中文書に含まれる第２変数コードをログインユーザ氏名に置換する（Ｓ９０３）。結果的に、医師の氏名が設定される。
【００４１】
図１０に、自動設定された診断書の表示例を示す。この例では、第１変数コード（＠ｎａｍｅ１）が患者氏名「▽田  ▽郎」に置換されている。また、第２変数コード（＠ｎａｍｅ２）がログインユーザ氏名「○山  ○子」に置換されている。このように、医師自身が文書を作成する場合に、自身の氏名を記入する手間が省かれる。以上で、第１パターンの説明を終える。
【００４２】
第２パターンの説明に移る。この例では、図５に示したシーケンスに従って看護師である「□川  □子」がログインする。従って、図１１に示すようにユーザウィンドウに含まれるログインユーザの氏名のフィールドには、「□川  □子」が表示される。第２パターンでは、依頼医師が登録されない。従って、依頼医師の氏名のフィールドには「なし」が表示される。
【００４３】
図５に示したシーケンスを終えると、第１パターンの場合と同じように、図７のシーケンス及び図８のシーケンスに示した処理が行われる。そして、図１２に示した医師氏名に関する自動設定のシーケンスに移る。
【００４４】
この段階で、ユーザ端末１０１の判定部３１３は、ログインユーザが医師であるか否かを判定する。第２パターンにおいて、ユーザ端末１０１の判定部３１３は、ログインユーザが医師ではないと判定する（Ｓ１２０１）。ログインユーザが医師ではないと判定した場合には、ユーザ端末１０１の判定部３１３は、ログインユーザが看護師であるか否かを判定する。第２パターンにおいて、ユーザ端末１０１の判定部３１３は、ログインユーザが看護師であると判定する（Ｓ１２０３）。
【００４５】
ログインユーザが看護師であると判定した場合には、ユーザ端末１０１の判定部３１３は、依頼医師が登録されているか否かを判定する。第２パターンにおいて、ユーザ端末１０１の判定部３１３は、依頼医師が登録されていないと判定する（Ｓ１２０５）。
【００４６】
依頼医師が登録されていないと判定した場合には、ユーザ端末１０１の置換部３１１は、編集中文書に含まれる第２変数コードをログインユーザ氏名に置換する（Ｓ１２０７）。結果的に、看護師の氏名が設定される。
【００４７】
図１３に、第２パターンで自動設定された診断書の表示例を示す。第１パターンの場合と同様に、第１変数コード（＠ｎａｍｅ１）が患者氏名「▽田  ▽郎」に置換されている。また、第２変数コード（＠ｎａｍｅ２）がログインユーザ氏名「□川  □子」に置換されている。第２パターンによれば、結果的に看護師の氏名が設定されるが、依頼医師を登録せずに文書を作成した看護師を特定することに役立つ面がある。以上で、第２パターンの説明を終える。
【００４８】
第３パターンの説明に移る。第３パターンでは、第２パターンの場合と同様に看護師「□川  □子」がログインするものとする。但し、当該看護師は依頼医師の登録を行う。具体的には、医師リストにおいて選択された医師「○山  ○子」が、看護師「□川  □子」に診断書の代行入力を依頼した医師として登録される。
【００４９】
図５に示したシーケンスを終えると、第１パターンの場合と同じように、図７のシーケンス及び図８のシーケンスに示した処理が行われる。その後、図１４に示した依頼医師登録に関するシーケンスに移る。
【００５０】
図１４の説明に移る。ユーザの指示に従って、ユーザ端末１０１の第１送信部３０５は、医師リスト要求を送信する（Ｓ１４０１）。例えば、ユーザ端末１０１の受付部３０３が医師登録ボタンのクリックによる指示を受け付けるようにしてもよい。
【００５１】
サーバ装置１０３の第２受信部４０１が医師リスト要求を受信すると（Ｓ１４０３）、サーバ装置１０３の取得部４０７は、医師ＤＢ４１７から医師リストを取得する（Ｓ１４０５）。そして、サーバ装置１０３の第２送信部４０５は、医師リストをユーザ端末１０１へ送信する（Ｓ１４０７）。医師リストは、当該病院における各医師のＩＤ及び氏名を含む。
【００５２】
ユーザ端末１０１の第１受信部３０７が医師リストを受信すると（Ｓ１４０９）、ユーザ端末１０１の表示処理部３０１は、受信した医師リストを表示する（Ｓ１４１１）。そして、ユーザ端末１０１の受付部３０３は、ユーザ操作による依頼医師の選択を受け付ける（Ｓ１４１３）。例えば、ユーザが医師リストにおいて医師の氏名を示す行をクリックすることによって、依頼医師が選択される。
【００５３】
ユーザ端末１０１の登録部３１５は、選択された依頼医師を登録する（Ｓ１４１５）。具体的には、ユーザ端末１０１の登録部３１５は、依頼医師のＩＤ及び氏名を依頼医師記憶部３２３に記憶させる。ユーザ端末１０１の表示処理部３０１は、ユーザウィンドウに依頼医師の氏名を表示する（Ｓ１４１７）。
【００５４】
図１５に、第３パターンにおけるユーザウィンドウの表示例を示す。看護師「□川  □子」がログインした段階で、ログインユーザの氏名のフィールドに「□川  □子」と表示される。そして、依頼医師として「○山  ○子」が登録された段階で、依頼医師の氏名のフィールドに「○山  ○子」が表示される。
【００５５】
図１４に示したシーケンスを終えると、図１６に示した第３パターンにおける医師氏名に関する自動設定のシーケンスへ移る。
【００５６】
この段階で、ユーザ端末１０１の判定部３１３は、ログインユーザが医師であるか否かを判定する。第３パターンで、ユーザ端末１０１の判定部３１３はログインユーザが医師ではないと判定する（Ｓ１６０１）。
【００５７】
ログインユーザが医師ではないと判定した場合には、ユーザ端末１０１の判定部３１３は、ログインユーザが看護師であるか否かを判定する。第３パターンにおいて、ユーザ端末１０１の判定部３１３は、ログインユーザが看護師であると判定する（Ｓ１６０３）。
【００５８】
ログインユーザが看護師であると判定した場合には、ユーザ端末１０１の判定部３１３は、依頼医師が登録されているか否かを判定する。第３パターンにおいて、ユーザ端末１０１の判定部３１３は、依頼医師が登録されていると判定する（Ｓ１６０５）。
【００５９】
依頼医師が登録されていると判定した場合には、ユーザ端末１０１の置換部３１１は、編集中文書に含まれる第２変数コードを、登録されている依頼医師の氏名に置換する（Ｓ１６０７）。その結果、図１０に示した状態となる。つまり、看護師が文書を作成する場合であっても、適正な医師の氏名が設定されるようになる。
【００６０】
最後に、図９、図１２及び図１６に示した医師氏名に関する自動設定のシーケンスを実現する自動設定処理について説明する。
【００６１】
図１７に、医師氏名に関する自動設定処理フローを示す。ユーザ端末１０１の判定部３１３は、ログインユーザが医師であるか否かを判定する（Ｓ１７０１）。ログインユーザが医師であると判定した場合には、ユーザ端末１０１の置換部３１１は、編集中文書に含まれる第２変数コードをログインユーザ氏名に置換する（Ｓ１７０３）。そして、自動設定処理を終える。このとき設定されるログインユーザ氏名は、医師氏名に相当する。
【００６２】
一方、ログインユーザが医師ではないと判定した場合には、ユーザ端末１０１の判定部３１３は、ログインユーザが看護師であるか否かを判定する（Ｓ１７０５）。ログインユーザが看護師ではないと判定した場合には、そのまま自動設定処理を終える。つまり、氏名の自動設定は行われない。
【００６３】
一方、ログインユーザが看護師であると判定した場合には、ユーザ端末１０１の判定部３１３は、更に依頼医師が登録されているか否かを判定する（Ｓ１７０７）。
【００６４】
依頼医師が登録されていないと判定した場合には、ユーザ端末１０１の置換部３１１は、編集中文書に含まれる第２変数コードをログインユーザ氏名に置換する（Ｓ１７０９）。そして、自動設定処理を終える。このとき設定されているログインユーザ氏名は、看護師氏名に相当する。
【００６５】
一方、依頼医師が登録されていると判定した場合には、ユーザ端末１０１の置換部３１１は、編集中文書に含まれる第２変数コードを依頼医師の氏名に置換する（Ｓ１７１１）。そして、自動設定処理を終える。
【００６６】
文書の編集を終えると、編集終了時点における文書データが文書データ記憶部３２５に記憶される。
【００６７】
本実施の形態によれば、書類中に適切な名前を自動設定できる。
【００６８】
依頼医師が登録されていると判定した場合に、書類中に含まれる第２変数コードを依頼医師の氏名に置換するので、代行入力する看護師が誰であるかに関らず、書類の責任者の欄に医師の名前が記入されるようになる。
【００６９】
また、依頼医師が登録されていないと判定した場合に、書類中に含まれる第２変数コードを看護師の名前に置換するので、代行入力した看護師を特定できる。
【００７０】
以上本発明の一実施の形態を説明したが、本発明はこれに限定されるものではない。例えば、上述の機能ブロック構成はプログラムモジュール構成に一致しない場合もある。
【００７１】
また、上で説明した各記憶領域の構成は一例であって、上記のような構成でなければならないわけではない。さらに、処理フローにおいても、処理結果が変わらなければ、処理の順番を入れ替えることや複数の処理を並列に実行させるようにしても良い。
【００７２】
なお、上で述べたユーザ端末１０１及びサーバ装置１０３は、コンピュータ装置であって、図１８に示すように、メモリ２５０１とＣＰＵ（Central Processing Unit）２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【００７３】
以上述べた本発明の実施の形態をまとめると、以下のようになる。
【００７４】
本実施の形態に係る書類作成支援方法は、（Ａ）看護師であるユーザがログインしている状態で、当該看護師に対応して書類の代行入力を依頼した医師に関する情報が記憶部に登録されているか否かを判定し、（Ｂ）上記医師に関する上記情報が登録されていると判定した場合に、入力対象として特定される書類中に含まれる所定コードを上記医師の名前に置換する処理を含む。
【００７５】
このようにすれば、書類中に適切な名前を自動設定できる。例えば、代行入力する看護師が誰であるかに関らず、書類の責任者の欄に医師の名前が記入されるようになる。
【００７６】
更に、（Ｃ）上記医師に関する上記情報が登録されていないと判定した場合に、上記入力対象として特定される書類中に含まれる所定コードを看護師の名前に置換する処理を含むようにしてもよい。
【００７７】
このようにすれば、依頼医師を明示せずに代行入力した看護師を特定できる。
【００７８】
なお、上記方法による処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【００７９】
以上の実施例を含む実施形態に関し、さらに以下の付記を開示する。
【００８０】
（付記１）
看護師であるユーザがログインしている状態で、当該看護師に対応して書類の代行入力を依頼した医師に関する情報が記憶部に登録されているか否かを判定し、
前記医師に関する前記情報が登録されていると判定した場合に、入力対象として特定される書類中に含まれる所定コードを前記医師の名前に置換する
処理をコンピュータに実行させる書類作成支援プログラム。
【００８１】
（付記２）
更に、
前記医師に関する前記情報が登録されていないと判定した場合に、前記入力対象として特定される書類中に含まれる前記所定コードを前記看護師の名前に置換する
処理をコンピュータに実行させる付記１記載の書類作成支援プログラム。
【００８２】
（付記３）
看護師であるユーザがログインしている状態で、当該看護師に対応して書類の代行入力を依頼した医師に関する情報が記憶部に登録されているか否かを判定し、
前記医師に関する前記情報が登録されていると判定した場合に、入力対象として特定される書類中に含まれる所定コードを前記医師の名前に置換する
処理を含み、コンピュータにより実行される書類作成支援方法。
【００８３】
（付記４）
看護師であるユーザがログインしている状態で、当該看護師に対応して書類の代行入力を依頼した医師に関する情報が記憶部に登録されているか否かを判定する判定部と、
前記医師に関する前記情報が登録されていると判定した場合に、入力対象として特定される書類中に含まれる所定コードを前記医師の名前に置換する置換部と
を有する書類作成支援装置。
【符号の説明】
【００８４】
１０１  ユーザ端末    １０３  サーバ装置
３０１  表示処理部    ３０３  受付部
３０５  第１送信部    ３０７  第１受信部
３０９  編集部    ３１１  置換部
３１３  判定部    ３１５  登録部
３２１  ログインユーザ記憶部    ３２３  依頼医師記憶部
３２５  文書データ記憶部    ４０１  第２受信部
４０３  認証部    ４０５  第２送信部
４０７  取得部    ４１１  アカウントＤＢ
４１３  患者ＤＢ    ４１５  カルテＤＢ
４１７  医師ＤＢ
【図１】
2018156310.tif 000003
【図２】
2018156310.tif 000004
【図３】
2018156310.tif 000005
【図４】
2018156310.tif 000006
【図５】
2018156310.tif 000007
【図６】
2018156310.tif 000008
【図７】
2018156310.tif 000009
【図８】
2018156310.tif 000010
【図９】
2018156310.tif 000011
【図１０】
2018156310.tif 000012
【図１１】
2018156310.tif 000013
【図１２】
2018156310.tif 000014
【図１３】
2018156310.tif 000015
【図１４】
2018156310.tif 000016
【図１５】
2018156310.tif 000017
【図１６】
2018156310.tif 000018
【図１７】
2018156310.tif 000019
【図１８】
2018156310.tif 000020